(57)【要約】【課題】  ４０代から５０代の女性の胸肉が下垂したり、減少したりすることにより崩れたバストラインとなった場合でも、美しいバストラインを描くことのできるブラジャーを、時と場所に応じて簡易、迅速に提供できるようにしたものである。【解決手段】  従来からあるブラジャー本体の上カップ部の内面にポケットを設け、該ポケットにパッドを収納できるようにしたことを特徴とするブラジャーを提供することにより、上記課題を解決する。【選択図】【図３】
0003104059.tif 000002
【実用新案登録請求の範囲】
【請求項１】
ブラジャー本体の上カップ部の内面にポケットを設け、該ポケットにパッドを収納できるようにしたことを特徴とするブラジャー。
【請求項２】
パッドが収納できるように設けたポケットの開口部が、装着時に側方側或いは上方側となる方向に設けられることを特徴とする請求項１のブラジャー。
【請求項３】
ブラジャー本体の上カップ部の内面生地の略中央に、パッドが収納できるように設けたポケットの開口部を縦割り状に設けたことを特徴とする請求項１のブラジャー。
【請求項４】
上部辺が胸の形状に沿うような曲率の曲線であって、該曲線よりも曲率半径が小さい曲線で下部辺が構成されているパッドが収納されることを特徴とする請求項１乃至請求項３にいずれか記載のブラジャー。
【考案の詳細な説明】
【技術分野】
【０００１】
本考案は、パットを装着できるようにしたブラジャーに関するものである。
【背景技術】
【０００２】
従来のパッド付きブラジャーでは、略椀形状や略三日月形のパッドが提案され、これらの形状のパッドをバストの下部にあてがってバストアップできるようになしたものや、外側にあてがうことで、バストを中央側に寄せるものが提案されており、さらに、同じブラジャーで、使用者が主にバストアップ用として使用するか、バストセンター寄せ用として使用するのか、さらにはその双方を目的として使用するのかを適宜選択して、各個人の千差万別の要求に応じられるよう、ブラジャー本体の両カップ部の内面下部から着装時に側方側となる部位とにかけて、二つ以上のポケットを設け、各ポケットにパッドを収納できるようになした技術的手段を講じたものが提案されている（例えば特許文献１）。
【０００３】
またあらかじめブラジャーの外側生地と内部生地の間に、液体充填物をはじめとする充填物を配置するブラジャーも提案されている。
【０００４】
しかしながら、女性の胸の肉は年齢の上昇と共に下垂し、上部の胸肉が減少する。図２（Ａ）が年齢と共に変化するバストラインを示しており、（Ａ）図中、実線で示すのが２０代のバストライン、破線で示すのが４０代から５０代のバストラインである。
【０００５】
２０代のバストラインではバスト上部の肉に張りがあるが、４０代から５０代のバストラインはバスト１０全体が下垂するだけでなく、バスト上部の肉が減少してしまう。そのため、前記ブラジャーを着用し、下部にパッドを設けてバスト１０を持ち上げたり、外側にパッドを設けてバスト１０をセンターに寄せたりしても、図２（Ｂ）中の実線に示すように、バストトップから上部にかけてのバストラインが凹んでしまい、自然な丸みを描く美しいバストラインとならない。
【０００６】
又、時と場合に応じた服装によっては、胸を強調しないようにする必要がある場合に、パッド等の充填物がすでにブラジャーの中に配置されていると、胸の形状が定まってしまうため、着用できないという不便さがあった。                                        
【０００７】
【特許文献１】実用新案登録公報第３０８６３７１号
【考案の開示】
【考案が解決しようとする課題】
【０００８】
そこで、本考案では、女性が４０代、５０代になるにつれて崩れていくバストラインに対応したブラジャーを提供することを目的としており、胸肉が下垂したり、減少したりした場合でも、美しいバストラインを描くことのできるブラジャーを、時と場所に応じて簡易、迅速に提供できるようにしたものである。
【課題を解決するための手段】
【０００９】
ブラジャー本体の上カップ部の内面にポケットを設け、該ポケットにパッドを収納できるようにしたことを特徴とするブラジャーを提供することにより、上記課題を解決する。
【００１０】
又、パッドが収納できるように設けたポケットの開口部が、装着時に側方側或いは上方側となる方向に設けられることを特徴とするブラジャーを提供することによって上記課題を解決する。
【００１１】
さらに、ブラジャー本体の上カップ部の内面生地の略中央に、パッドが収納できるように設けたポケットの開口部を縦割り状に設けたことを特徴とするブラジャーを提供することによって上記課題を解決する。
【００１２】
そして、上部辺が胸の形状に沿うような曲率の曲線であって、該曲線よりも曲率半径が小さい曲線で下部辺が構成されているパッドが収納されることを特徴とするブラジャーを提供することによって上記課題を解決する。
【考案の効果】
【００１３】
本考案によれば、ブラジャー本体の上カップ部の内面にポケットを設け、該ポケットにパッドを収納することによって、上部の胸肉の減少部分をパットで補充することができるので、バストトップから上部にかけてのバストラインが凹むことなく、自然な胸の丸みを生じる美しいバストラインを描くことができるようになる。
【００１４】
又、パッドを収納するためのポケットの開口部を、装着時に側方側となる方向に設けたことによって、上下にバストが動いてもパッドがずれず、着脱しやすいパッドつきブラジャーを提供することができる。無論、開口部と相対する辺が閉塞しており、収納したパットが抜けないようになっていれば、開口部の場所は問わないので、上方側等に開口部を設けても良い。
【００１５】
加えて、ブラジャー本体の上カップ部の内面生地の略中央に、ポケットの開口部を縦割り状に設けた場合、開口部を装着時に上方側或いは側方側となる方向に設けた場合よりも、パッドをずれにくくすることができる。
【００１６】
そして、パッドをポケットに収納したことにより、パッドが取り外し可能に設けられているので、胸を強調したくない時には、パッドを収納せずに着用し、時と場合に応じたブラジャー及びパッドの使い分けができるという利点がある。また、種々のパッドの形状を使い分けることでバストラインの微妙な変化を楽しむこともできる。さらに、個々人の胸の形状に合わせた形状のパッドを提供すれば、汎用性も高い。
【考案を実施するための最良の形態】
【００１７】
以下、本考案に係るブラジャーの実施の形態を、図を用いて説明する。図１は本考案に係るブラジャーの全体図を示した図である。図２（Ａ）は年齢と共に変化する女性のバストラインを表しており、図２（Ｂ）は下カップにパッドを設けた従来のブラジャーを着用した場合のバストラインを、さらに図２（Ｃ）は本考案のブラジャーを着用した場合のバストラインを表している。図３は本考案に係るブラジャーの拡大図を表した図である。さらに図４はパッドの全体図を表しており、図５はパッドの断面図を表している。
【００１８】
本考案に係るブラジャー１のカップ部２以外の部材は、ワイヤー部６、ストラップ７、ベルト部８、ボーン９であって、通常のブラジャーと同様に形成されている。
【００１９】
そして本考案に係るブラジャー１のカップ２は、図３に示すように、肌に直接触れる側であるカップ部２の内側面が、バストトップの位置で上部２Aと下部２Bとに分けられている。そして上部２Aと下部２Bにはそれぞれパッド４、５を収納するためのポケット３Ａ、３Ｂが設けられている。
【００２０】
上カップ２Aに設けられるパッド４を収納するためのポケット３Ａの開口部について、開口部と相対する辺が閉塞しており、収納したパット４が抜けないようになっていれば、開口部の場所は問わないが、上カップ２Aの上部から着装時に側方側となる部位とにかけて設けられているのが好ましい。該位置に開口部を有していると、バストが上下に動いてもパッドが押されてポケットから飛び出すということはなく、略三日月形状をしているパッドの出し入れがし易い。上方側から着装時に両胸の中心側となる方向にかけて開口部を設けることもできるが、この場合には、ブラジャーを着用した後にパッドを挿入する時に出し入れがし易いという利点を持つ。又、上カップ２Ａ部の内面生地の略中央に縦割り状に開口部を設けることもできるが、この場合は、パッドがずれにくいという利点を持つ。
【００２１】
加えて下カップ２Ｂにもパッド５を収納できるよう、ポケット３Ｂを設けることができる。そのパッドの収納方法は従来からあるパッド付きブラジャーと同様に、下カップ部２Ｂの内面生地の略中央に縦割り状に開口部を設けてパッド５を収納する等して行なわれる。
【００２２】
ポケット３Ａに挿入されるパッド４は、図４に示すように、上部辺が胸の形状に沿うような曲率の曲線であって、該曲線よりも曲率半径が小さい曲線で下部辺が構成されている、略三日月形状である。上部辺及び下部辺の曲線の曲率を変化させて、個々人の胸の大きさに対応するよう、パッド４の形状を複数用意するのが望ましい。
【００２３】
又、減少した胸肉を補うよう、断面図５に示すように、上部辺の近傍面は下部辺の近傍面と比べて隆起しているが、その隆起高も個々人の胸の大きさや好みに合わせて複数用意するのが望ましい。
【００２４】
パッド４、５は、発泡合成樹脂製、樹脂袋内に液体またはジェル状物質を密閉したもの、クッション材を布地で覆ったもの等が使用され、各ポケット３Ａ、３Ｂの形状に適合した形状に形成した、従来公知なものが使用できる。尚、パッド４、５はポケット３Ａ、３Ｂに収納したときに、容易に変形可能となって、自然な胸の形状に沿うようになるものが望ましい。
【００２５】
パッドをポケットに収納した時のバストライン及びＡ−Ａ断面図は図２（Ｃ）に示されている。ポケット３Ａにパッド４が収納されることによって、胸肉の減少部分を補うことができ、ポケット３Ｂにパッド４Ｂが収納されることによって、バストを寄せ上げることができるので、結果として自然な丸みのバストラインとなる。
【実施例１】
【００２６】
本考案の実施例について、図３を用いて説明する。本実施例１に係るブラジャーはカップ部２、ワイヤー部６、ストラップ７、ベルト部８、ボーン９で形成され、従来のブラジャーと同様の素材等が使用できる。
【００２７】
尚、ボーン９を脇に２本設けることによって肉の流れを防止するとともに、バストを寄せ上げるため、脇のラインを美しく見せる効果がある。  
上カップ２Ａにはポケット３Ａの開口部が設けられ、該開口部が着装時に側方側となる部位とにかけて設けられている。これによって、バストが上下に動いても、パッド４が押されてポケット３Ａから飛び出さないような構造となっている。また、脇に開口部を設けたことにより、略三日月形状のパッド４を出し入れするのが容易である。
【００２８】
さらに本実施例では上カップ２Ａだけでなく、下カップ２Ｂにポケット３Ｂを設けており、該ポケット３Ｂに沿う形状のパッド５を収納することによって、さらに美しく豊かなバストラインを提供することができる。
【００２９】
これらのポケット３Ａ、３Ｂに収納されるパッド４、５には、最も好ましくはクッション材を布地で覆ったものが使用されている。尚、パッド４、５の辺の曲率や、隆起高は適宜定められる。
【図面の簡単な説明】
【００３０】
【図１】ブラジャーの全体図
【図２】バストラインの比較を表した図
【図３】ブラジャーの拡大図
【図４】パッドの全体図
【図５】パッドの断面図（Ｂ−Ｂ断面）
【符号の説明】
【００３１】
１  ブラジャー
２Ａ  上カップ部
２Ｂ  下カップ部
３Ａ，３Ｂ  ポケット
４、５  パッド
６  ワイヤー部
７  ストラップ
８  ベルト部
９  ボーン
１０  バスト
【図１】
0003104059.tif 000003
【図２】
0003104059.tif 000004
【図３】
0003104059.tif 000005
【図４】
0003104059.tif 000006
【図５】
0003104059.tif 000007